(57)【特許請求の範囲】
【請求項１】
直線状の刃部を有する固定刃と、刃部が略Ｖ字形状である可動刃とよりなり、シートをカットするべく該可動刃が該固定刃に重なる方向に移動するときに、該可動刃の刃部が該固定刃の刃部に当たる部位が、２個所にあって、各当たる部位が両側より中央に向かって移動する構成のシートカッタにおいて、
該固定刃については、その長手方向上の中央部を支持し、
該可動刃については、ばねによって、その長手方向上の中央部を第１のばね力で該固定刃に押し付けると共に、該中央部に対して左右側の部位を夫々第２のばね力で該固定刃に押し付けた構成とし、
該可動刃の中央部に作用した第１のばね力と左右側の部位に作用した第２のばね力とによって、該可動刃の刃部が該固定刃の刃部に当たる刃圧を与えると共に、該固定刃が逆Ｖ字形状に反り、該可動刃がＶ字形状に反り、この状態で該可動刃が該固定刃に重なる方向に移動する構成としたことを特徴とするシートカッタ。
【請求項２】
該可動刃は、刃部のうち両端側の部分に、Ｒ形状部を有する構成とした請求項１記載のシートカッタ。
【請求項３】
該固定刃は、その刃部を高くして該可動刃の移動方向に傾斜してあり、且つこの傾斜の角度を変化させるように揺動可能に支持してある請求項１記載のシートカッタ。
【請求項４】
該固定刃は、可動刃の移動方向に遊びを有して支持してある、請求項１記載のシートカッタ。
【請求項５】
前記第１のばね力は前記第２のばね力より大きい構成である請求項１記載のシートカッタ。
【請求項６】
前記第１のばね力は前記第２のばね力の２〜３倍である構成である請求項５記載のシートカッタ。
【発明の詳細な説明】
【０００１】
【発明の属する技術分野】
本発明はシートカッタに係り、特にＰＯＳ，ＥＣＲ，ＡＴＭ等のレシート発行部に適用されるシートカッタに関する。
ＰＯＳ，ＥＣＲ，ＡＴＭ等のレシート発行部は、長尺のシートに印刷を行なうプリンタと印刷されたシートを切断するシートカッタとよりなる。プリンタは、従来のシリアルプリンタからラインサーマルプリンタへと移行しつつあり、寿命が長くなっている。これに伴って、シートカッタも長寿命化、例えば１００万カットの保証、が要求されている。
【０００２】
【従来の技術】
図９（Ａ），（Ｂ）は従来のシートカッタ１０を示す。シートカッタ１０は、フレーム１４に固定してあり直線状の刃部１１ａを有する固定刃１１と、刃部１２ａが略Ｖ字形状である可動刃１２とよりなり、板ばね１３が可動刃１２の中央部を力Ｆ１で押し付けた構成である。可動刃１２は、図９（Ａ）に示すように、中央が少し沈んでＶ字形状となっている。刃圧は板ばね１３によって与えられている。図９（Ｂ）が、シートカット開始前の状態である。可動刃１２が板ばね１３によって押し付けられたまま、Ｙ１方向に移動される。可動刃１２の刃部１２ａが固定刃１１の刃部１１ａに当たる部位１５、１６が、２個所にあって、可動刃１２がＹ１方向に移動されるにつれて、各当たる部位がＸ１，Ｘ２方向上の両側より中央に向かって移動し、Ａ方向に送り出されたシート１７をカットする。
【０００３】
【発明が解決しようとする課題】
従来のシートカッタ１０は、刃圧は中央の１つの板ばね１３によって与えられているため、特に可動刃１２の両端付近での刃圧が十分でなくシート１７をカットする刃圧が十分でない。よって、可動刃１２の刃部１２ａ及び固定刃１１の刃部１１ａが摩耗して切れ味が悪くなると、まもなく、シート１７が固定刃１１と可動刃１２との間にかみ込まれるようになって、シート１７をカットできなくなり、シートカッタ１０は寿命となる。
【０００４】
また、固定刃１１はフレーム１４に完全に固定してあるため、固定刃１１は少しも逃げることが出来ず、よって、可動刃１２の移動時に、場合によっては、可動刃１２の刃部１２ａと固定刃１１の刃部１１ａとの当たりが過度に強くなって、この場所では、刃部１１ａ、１２ａの摩耗が発生し易くなる。この点でもカッタ１０の寿命が短くなっていた。
【０００５】
シートカッタ１０の寿命は、３０〜５０万カット程度であった。
そこで、本発明は上記課題を解決したシートカッタを提供することを目的とする。
【０００６】
【課題を解決するための手段】
請求項１の発明は、直線状の刃部を有する固定刃と、刃部が略Ｖ字形状である可動刃とよりなり、シートをカットするべく該可動刃が該固定刃に重なる方向に移動するときに、該可動刃の刃部が該固定刃の刃部に当たる部位が、２個所にあって、各当たる部位が両側より中央に向かって移動する構成のシートカッタにおいて、該固定刃については、その長手方向上の中央部を支持し、該可動刃については、その長手方向上の中央部と、該中央部に対して左右側の部位をばね力で該固定刃に押し付けた構成とし、該可動刃の中央部に作用したばね力と左右側の部位に作用したばね力とによって、該可動刃の刃部が該固定刃の刃部に当たる刃圧を与えると共に、該固定刃が逆Ｖ字形状に反り、該可動刃をＶ字形状に反り、この状態で該可動刃が該固定刃に重なる方向に移動する構成としたものである。
【０００７】
可動刃の中央部に作用したばね力に加えて、左右側の部位に作用したばね力が刃圧を与えるため、固定刃及び可動刃の摩耗が進行した状態でも十分な刃圧が確保される。よって、固定刃及び可動刃の摩耗が進行した状態でもシートが固定刃と可動刃との間にかみ込みが発生しにくくなり、シートカッタの寿命が長くなる。また、固定刃が逆Ｖ字形状に反り、可動刃をＶ字形状に反って、この状態で可動刃が固定刃とかみ合うため、シートの切れ味がよくなり、固定刃及び可動刃の摩耗が進行した状態でも、シートが固定刃と可動刃との間にかみ込みが発生しにくくなり、シートカッタの寿命が長くなる。
【０００８】
請求項２の発明は、可動刃は、刃部のうち両端側の部分に、Ｒ形状部を有する構成としたものである。
シートをカットするときに可動刃の刃部が固定刃の刃部と当たり始めるときの可動刃の刃部が固定刃の刃部と当たる動作が円滑になり、シートをカットするときに可動刃の刃部が固定刃の刃部と当たり始める部分（この部分が特に摩耗し易い）の摩耗が抑えられる。
【０００９】
請求項３の発明は、固定刃は、その刃部を高くして該可動刃の移動方向に傾斜してあり、且つこの傾斜の角度を変化させるように揺動可能に支持してある構成としたものである。
可動刃がシートをカットするべく可動刃が固定刃に重なる方向に移動するときには、固定刃は傾斜を増し、該可動刃が戻るときには、固定刃は傾斜を減らし、該固定刃がこじられることが起きなくなって、刃部の摩耗の進行が抑えられる。
【００１０】
請求項４の発明は、固定刃は、可動刃の移動方向に遊びを有して支持してある構成としたものである。
可動刃がシートをカットするべく可動刃が固定刃に重なる方向に移動するとき、及び可動刃が戻るときに、固定刃が可動刃の移動につれて少し動き、固定刃がこじられることが起きなくなって、刃部の摩耗の進行が抑えられる。
【００１１】
【発明の実施の形態】
図１（Ａ），（Ｂ）は本発明の一実施例になるシートカッタ２０をカバー２６を省略して示す。シートカッタ２０は、図２乃至図５に併せて示すように、フレーム２１と、フレーム２１に固定してある固定刃２２と、フレーム２１上にＹ１，Ｙ２方向に移動可能に設けてある可動刃２３と、可動刃２３をＺ２方向に押し付けて刃圧を付与する板バネ部材２４（図５参照）と、可動刃２３をＹ１，Ｙ２方向に往復移動させる可動刃往復移動機構２５と、上部のカバー２６とを有する。
【００１２】
固定刃２２は、細長い形状であり、直線状の刃部２２ａを有する。可動刃２３は略Ｖ字形状の刃部２３ａを有し、Ｘ１，Ｘ２方向上の両端側にＹ１方向に突き出た案内部２３ｂ，２３ｃが、固定刃２２上に乗っている。シートをカットするときに、可動刃２３がＹ１方向に移動し、固定刃２２に乗り上げて固定刃２２に重なるように移動する。可動刃２３の刃部２３ａが固定刃２２の刃部２２ａに当たる部位２７，２８が、２個所にあって、各当たる部位２７，２８が両側より中央に向かって移動し、フレーム２１のスリット２９より矢印Ａ方向に送り出されたシート１７をその幅方向上両側から中央に向かって切り込んでカットする。
【００１３】
図１（Ａ）に示すように、可動刃往復移動機構２５は、モータ３０と、ウォームギヤ機構３１と、かみ合っている一対のギヤ３２、３３と、各ギヤ３２、３３上のピン３４、３５とよりなる。ピン３４、３５が可動刃２３の長孔２３ｅ，２３ｄと嵌合している。モータ３０、ウォームギヤ機構３１、かみ合っている一対のギヤ３２、３３は、共に、カバー２６の裏側に取り付けてある。モータ３０が駆動すると、ピン３４、３５が円運動して、可動刃２３は最初にＹ１方向に図１（Ｂ）中二点鎖線で示す位置まで移動し、その後Ｙ２方向に移動されて元の位置に戻る。
【００１４】
次に、固定刃２２に関して説明する。
図２及び図３に示すように、固定刃２２は平面形状である。固定刃２２は、中央に角穴２２ｃとＹ１方向に突き出た爪２２ｃとを有し、Ｘ１，Ｘ２方向端側に径がｄ１の丸穴２２ｄ，２２ｅを有する。
図２，図３及び図４に示すように、フレーム２１のＹ１方向端側には、固定刃取付け部２１ａが形成してある。この固定刃取付け部２１ａは、固定刃支持面４０を有する。固定刃支持面４０は、Ｘ１，Ｘ２方向上についてみると中央が高い傾斜角θ１の山形形状を有し、且つ、部位４２からＹ１方向に向かうにつれて下がるＺ２方向に傾斜角θ２で傾斜している。固定刃支持面４０の中央の高い部分が、第１の支持部４１を構成し、第１の支持部４１はＸ１，Ｘ２方向端の高さよりＺ１方向に寸法ａだけ高い。部位４２はスリット２９よりＹ１方向に寸法ｂ寄った位置であり、この部位４２が第２の支持部を構成する。
【００１５】
固定刃支持面４０のＸ１，Ｘ２方向端側に円形のボス４３、４４が形成してある。このボス４３、４４の径はｄ２であり、上記丸穴２２ｄ，２２ｅの径ｄ１より、寸法ｃ＝０．１５ｍｍ程度小さい。
固定刃支持面４０のＹ１方向端には立ち上げ壁４５が形成してあり、この立ち上げ壁４５の中央に、角窓４６が形成してある。角窓４６の高さ寸法ｅは、上記爪２２ｃの厚さ寸法ｆより、１．５ｍｍ程度大きい。
【００１６】
フレーム２１の裏面には、シート１７をスリット２９内にガイドするシートガイド部材４７がねじ止めしてある。このシートガイド部材４７と一体のフック４７ａが、固定刃支持面４０よりＺ１方向に突き出ている。
図４に示すように、固定刃２２は、丸穴２２ｄ，２２ｅがボス４３、４４に緩く嵌合し、爪２２ｃが角窓４６に緩く嵌合し、角穴２２ｃをフック４７ａに緩く掛け止めされた状態で、固定刃支持面４０上に載った状態で取り付けてある。
【００１７】
ここで、固定刃２２の取付け状態を示す。
（１）長手方向（Ｘ１，Ｘ２方向）について
固定刃２２は、中央部を第１の支持部４１によって支持されており、Ｘ１，Ｘ２方向端側をＺ２方向に押されると山形形状に弾性的に撓みうる。
（２）高さ（厚さ）方向（Ｚ１、Ｚ２方向）について
固定刃２２は、図４中、角となっている第２の支持部４２を中心に、寸法（ｅ−ｆ）の範囲内で、矢印Ｂ１方向に揺動することが可能である。即ち、固定刃２２は、その長手方向の軸線を中心に揺動が可能である。
【００１８】
（３）幅方向（Ｙ１，Ｙ２方向）について
固定刃２２は、寸法ｃ＝（ｄ１−ｄ２）の範囲内で、Ｙ１，Ｙ２方向に動くことが可能である。
次に、可動刃２３に関して説明する。
可動刃２３は、フレーム２１上に載っており、Ｙ１方向に突き出た案内部２３ｂ，２３ｃが固定刃２２上に乗り上げており、傾斜角θ３で傾斜している。この傾斜角θ３は、可動刃２３がＹ１方向に移動するにつれて徐々に増える。可動刃２３のうち固定刃２２よりＹ２方向側の部分の下面側にはフレーム２１との間に狭い偏平な空間４９がある。後述するように、この狭い偏平な空間４９を利用して可動刃２３はＶ字形状に反る。
【００１９】
板バネ部材２４は、カバー２６の下面に取り付けてあり、Ｘ１，Ｘ２方向上、中央に１つ、この両側に１つづつの、計３つの板バネ片２４ａ，２４ｂ，２４ｃを有する。各板バネ片２４ａ，２４ｂ，２４ｃは、そのばね力によって、可動刃２３をＺ２方向に押し付ける。板バネ片２４ａは可動刃２３の中央部分を力Ｆ１０で押し付け、板バネ片２４ｂ，２４ｃは可動刃２３の左右側寄りの部分を力Ｆ１１、Ｆ１２で押し付ける。力Ｆ１１、Ｆ１２は２００〜３００ｇであり、力Ｆ１０は７００〜８００ｇであり、力Ｆ１１、Ｆ１２の２〜３倍である。
【００２０】
可動刃２３は、板バネ片２４ａによって符号５０で示す部分を押されつつ、板バネ片２４ｂによって符号５１で示す部分を押されつつ、板バネ片２４ｂによって符号５２で示す部分を押されつつ移動される。
また、図５に拡大して示すように、刃部２３ａのＸ１，Ｘ２方向端側であって案内部２３ｂ，２３ｃに続く部分は、Ｒ形状部２３ａ１，２３ａ２としてある。
【００２１】
次にシートカッタ２０がシート１７をカットするときの動作を説明する。
（１）先ず、Ｙ１方向からみたときの可動刃２３及び固定刃２２の動作を説明する
図７（Ａ）はカット開始前の状態、図７（Ｂ）はカット途中の状態、図７（Ｂ）はカット終了時の状態をＹ１方向からみて示す。図８（Ａ），（Ｂ），（Ｃ）は、図７（Ａ），（Ｂ），（Ｃ）に対応するときの、可動刃２３及び固定刃２２の反りの状態を概略的に示す。
【００２２】
カット開始前では、可動刃２３は、案内部２３ｂ，２３ｃが固定刃２２上に乗り上げ、中央部分を力Ｆ１０、左右側寄りの部分を力Ｆ１１、Ｆ１２で押し付けられて、図７（Ａ）及び図８（Ａ）に示すように中央が沈んでＶ字形状に反っている。固定刃２２は、左右端側を可動刃２３の案内部２３ｂ，２３ｃによって押さえられて、第１の支持部４１によって支持された中央部が頂上となる逆Ｖ字形状（山形状）に反っている。部位２７，２８で刃部２３ａが刃部２２ａに所定の刃圧で当たっている。
【００２３】
可動刃２３がＹ１方向に移動されると、刃部２３ａが刃部２２ａに当たる部位が中央側に移動し、シート１７がその幅方向上両側から中央に向かって切り込まれる。カットの途中では、図７（Ｂ）及び図８（Ｂ）に示すように、刃部２３ａが刃部２２ａに当たる部位が部位２７ａ，２８ａに移り、可動刃２３及び固定刃２２の反りの状態は緩くなる。
【００２４】
カット終了時には、図７（Ｃ）及び図８（Ｃ）に示すように、刃部２３ａが刃部２２ａに当たる部位が部位２７ｂ（２８ｂ）で一致する。固定刃２２は略平面状となる。
その後、可動刃２３はＹ２方向に移動され元の位置に戻り、図７（Ａ）及び図８（Ａ）に示す状態となる。
【００２５】
可動刃２３の中央部に作用したばね力Ｆ１０に加えて、左右側の部位に作用したばね力Ｆ１１，Ｆ１２が刃圧を与えるため、固定刃２２及び可動刃２３の摩耗が進行した状態でも十分な刃圧を得ることが出来、シートが固定刃と可動刃との間にかみ込みが発生しにくくなる。
また、固定刃２２が逆Ｖ字形状に反り、可動刃２３がＶ字形状に反って、この状態で可動刃２３が固定刃２２とかみ合うため、シートの切れ味がよくなり、固定刃２２及び可動刃２３の摩耗が進行した状態でも、シートが固定刃と可動刃との間にかみ込む現象が発生しにくくなる。
【００２６】
（２）次に、Ｘ１方向からみたときの固定刃２２の動きを説明する。
図８（Ａ）は前回のカットが終了して次のカットを開始する前の状態を示す。
固定刃２２は、丸穴２２ｄ，２２ｅとボス４３、４４との間の遊び（寸法ｃ）の範囲でＹ２方向に寄っており、且つ、角窓４６の寸法の範囲で第２の支持部４２を中心にＢ１方向に回動されて水平に近づいている。固定刃２２は固定刃支持面４０より浮いており固定刃支持面４０に対して角度θ４をなしており、固定刃２２は水平面に対して角度θ５傾斜している。傾斜角度θ５は（θ２−θ４）である。
【００２７】
可動刃２３が固定刃２２を擦りつつＹ１方向に移動すると、図８（Ｂ）に示すように、固定刃２２は遊び（寸法ｃ）の範囲でＹ１方向に移動され、且つ、第２の支持部４２を中心にＢ２方向に回動される。
固定刃２２がこのように動くことによって、可動刃２３の刃部２３ａが固定刃２２の刃部２２ａを引っかけてこじることが起きにくくなる。よって、可動刃２３の刃部２３ａ及び固定刃２２の刃部２２ａが無用に傷められることが起きず、また、可動刃２３の刃部２３ａ及び固定刃２２の刃部２２ａの摩耗の進行が抑えられる。
【００２８】
シートのカットが終了して可動刃２３がＹ２方向に移動するときには、可動刃２３が固定刃２２を擦りつつＹ２方向に移動することに伴って、図８（Ｃ）に示すように、固定刃２２は遊び（寸法ｃ）の範囲でＹ２方向に移動され、且つ、角窓４６の範囲で第２の支持部４２を中心にＢ１方向に回動されて水平に近づく。
固定刃２２がこのように動くことによって、可動刃２３の刃部２３ａが固定刃２２の刃部２２ａを引っかけてこじることが起きにくくなる。よって、可動刃２３の刃部２３ａ及び固定刃２２の刃部２２ａが無用に傷められることが起きず、また、可動刃２３の刃部２３ａ及び固定刃２２の刃部２２ａの摩耗の進行が抑えられる。
【００２９】
（３）次に、可動刃２３の刃部２３ａのＲ形状部２３ａ１，２３ａ２の作用について説明する。
カットの開始時、可動刃２３の刃部２３ａが固定刃２２の直線状の刃部２２ａとかみ合い始めるとき、Ｒ形状部２３ａ１，２３ａ２から固定刃２２の直線状の刃部２２ａとかみ合いを開始する。このため、可動刃２３がＹ１方向に移動を開始した初期における部位２７，２８の中央側への移動はゆっくりと行なわれる。
【００３０】
よって、可動刃２３の刃部２３ａが固定刃２２の刃部２２ａと当たり始める部分で特に摩耗がおき易い。しかし、本実施例では、可動刃２３の刃部２３ａの両端側がＲ形状部２３ａ１，２３ａ２となっているため、可動刃２３の刃部２３ａが固定刃２２の刃部２２ａと当たり始めるときの動作が円滑になり、シートをカットするときに可動刃の刃部が固定刃の刃部と当たり始める部分の摩耗が抑えられる。
【００３１】
以上のように、▲１▼固定刃２２が逆Ｖ字形状に反り、可動刃２３がＶ字形状に反った状態で可動刃２３が固定刃２２とかみ合うため、シートの切れ味がよくなり、固定刃２２及び可動刃２３の摩耗が進行した状態でも、シートが固定刃と可動刃との間にかみ込む現象が発生しにくくなっていること、▲２▼固定刃２２が少し動くことによって、可動刃２３の刃部２３ａが固定刃２２の刃部２２ａを引っかけてこじることが起きにくくなって、可動刃２３の刃部２３ａ及び固定刃２２の刃部２２ａが無用に傷められることが起きず、また、可動刃２３の刃部２３ａ及び固定刃２２の刃部２２ａの摩耗の進行が抑えられていること、▲３▼可動刃２３の刃部２３ａの両端側がＲ形状部２３ａ１，２３ａ２であり、可動刃２３の刃部２３ａが固定刃２２の刃部２２ａと当たり始める部分の摩耗が抑えられていることによって、シートカッタ２０は従来に比べて長い寿命を有する。本発明者は試作したシートカッタ２０の寿命試験を行なったところ、１００万カットの段階でも寿命には到らなかった。
【００３２】
【発明の効果】
以上説明したように、請求項１の発明によれば、固定刃については、その長手方向上の中央部を支持し、可動刃については、その長手方向上の中央部と、中央部に対して左右側の部位をばね力で該固定刃に押し付けた構成とし、可動刃の中央部に作用したばね力と左右側の部位に作用したばね力とによって、可動刃の刃部が固定刃の刃部に当たる刃圧を与えると共に、固定刃が逆Ｖ字形状に反り、可動刃をＶ字形状に反り、この状態で可動刃が固定刃に重なる方向に移動する構成としたものであるため、第１には、可動刃の中央部に作用したばね力に加えて、左右側の部位に作用したばね力が刃圧を与えるため、固定刃及び可動刃の摩耗が進行した状態でも十分な刃圧が確保され、よって、固定刃及び可動刃の摩耗が進行した状態でもシートが固定刃と可動刃との間にかみ込みが発生しにくくなり、シートカッタの寿命を長く出来る。第２には、固定刃が逆Ｖ字形状に反り、可動刃をＶ字形状に反って、この状態で可動刃が固定刃とかみ合うため、シートの切れ味がよくなり、固定刃及び可動刃の摩耗が進行した状態でも、シートが固定刃と可動刃との間にかみ込みが発生しにくくなり、シートカッタの寿命を長く出来る。また、部材の追加が無く、また、特殊な材料も使用しないため、製造コストを上げずに、シートカッタの寿命を長く出来る。
【００３３】
請求項２の発明は、可動刃は、刃部のうち両端側の部分に、Ｒ形状部を有する構成としたものであるため、シートをカットするときに可動刃の刃部が固定刃の刃部と当たり始めるときの可動刃の刃部が固定刃の刃部と当たる動作が円滑になり、シートをカットするときに可動刃の刃部が固定刃の刃部と当たり始める部分（この部分が特に摩耗し易い）の摩耗を抑えることが出来る。よって、シートカッタの寿命を長く出来る。
【００３４】
請求項３の発明は、固定刃は、その刃部を高くして該可動刃の移動方向に傾斜してあり、且つこの傾斜の角度を変化させるように揺動可能に支持してある構成としたものであるため、可動刃がシートをカットするべく可動刃が固定刃に重なる方向に移動するときには、固定刃は傾斜を増し、該可動刃が戻るときには、固定刃は傾斜を減らし、該固定刃がこじられることが起きなくなって、刃部の摩耗の進行を抑えることが出来る。よって、シートカッタの寿命を長く出来る。
【００３５】
請求項４の発明は、固定刃は、可動刃の移動方向に遊びを有して支持してある構成としたものであるため、可動刃がシートをカットするべく可動刃が固定刃に重なる方向に移動するとき、及び可動刃が戻るときに、固定刃が可動刃の移動につれて少し動き、固定刃がこじられることが起きなくなって、刃部の摩耗の進行を抑えることが出来る。よって、シートカッタの寿命を長く出来る。
【図面の簡単な説明】
【図１】本発明の一実施例のシートカッタをカバーを取り外して示す図である。
【図２】図１のシートカッタの刃の部分を分解して示す図である。
【図３】固定刃をフレームに対して分解して示す図である。
【図４】固定刃のフレームへの取付け状態を示す図である。
【図５】固定刃と可動刃との関係を示す斜視図である。
【図６】シートカット動作を示す図である。
【図７】シートカット動作時の可動刃及び固定刃の反りの状態を示す図である。
【図８】シートカット動作時の固定刃の動きを説明する図である。
【図９】従来のシートカッタを示す図である。
【符号の説明】
２０  シートカッタ
２１  フレーム
２２  固定刃
２２ａ  刃部
２３  可動刃
２３ａ  刃部
２４  板バネ部材
２４ａ，２４ｂ，２４ｃ  板バネ片
２５  可動刃往復移動機構
２６  カバー
２７，２７ａ，２７ｂ，２８，２８ａ，２８ｂ  刃同士が当たっている部位
４０  固定刃支持面
４１  第１の支持部
４２  第２の支持部
【図１】
0004006117.tif 000002
【図２】
0004006117.tif 000003
【図３】
0004006117.tif 000004
【図４】
0004006117.tif 000005
【図５】
0004006117.tif 000006
【図６】
0004006117.tif 000007
【図７】
0004006117.tif 000008
【図８】
0004006117.tif 000009
【図９】
0004006117.tif 000010